(57)【要約】【課題】顔に対して良好なマッサージを行うことのできる顔用マッサージ器を提供する。【解決手段】ベース３と、使用者の顔をマッサージする施療子２１を有するマッサージ部材２と、マッサージ部材２を駆動する駆動部４と、を有し、マッサージ部材２は、左右成分及び上下成分を含む動作を行う。具体的には、マッサージ部材２は、施療子２１として使用者の眼の上部に当接する上施療子２２と、使用者の眼の下部に当接する下施療子２３と、使用者のこめかみに当接する横施療子２４と、振動部材２５と、を有する。【選択図】      図１
2014226499.tif 000002
【特許請求の範囲】
【請求項１】
ベースと、
使用者の顔をマッサージする施療子を有するマッサージ部材と、
前記マッサージ部材を駆動する駆動部と、を有し、
前記マッサージ部材は、左右成分及び上下成分を含む動作を行うことを特徴とする顔用マッサージ器。
【請求項２】
前記マッサージ部材は、前記施療子として使用者の眼の上部に当接する上施療子を有することを特徴とする請求項１に記載の顔用マッサージ器。
【請求項３】
前記マッサージ部材は、前記施療子として使用者の眼の下部に当接する下施療子を有することを特徴とする請求項１又は２に記載の顔用マッサージ器。
【請求項４】
前記マッサージ部材は、前記施療子として使用者のこめかみに当接する横施療子を有することを特徴とする請求項１〜３のいずれかに記載の顔用マッサージ器。
【請求項５】
前記マッサージ部材は、前記施療子が取り付けられた第１アームを有し、
前記第１アームは、前後方向を軸方向とする揺動軸周りに揺動することを特徴とする請求項１〜４のいずれかに記載の顔用マッサージ器。
【請求項６】
前記施療子は、前後方向に可動であることを特徴とする請求項１〜５のいずれかに記載の顔用マッサージ器。
【請求項７】
前記施療子は、左右方向に可動であることを特徴とする請求項１〜６のいずれかに記載の顔用マッサージ器。
【請求項８】
前記施療子は、該施療子の移動方向に沿って回転するローラであることを特徴とする請求項１〜７のいずれかに記載の顔用マッサージ器。
【請求項９】
前記マッサージ部材は、前記施療子としての振動部材を有することを特徴とする請求項１〜８のいずれかに記載の顔用マッサージ器。
【請求項１０】
着脱自在である吸水性を有するパッド部材と、
前記パッド部材を過熱するヒータと、を有することを特徴とする請求項１〜９のいずれかに記載の顔用マッサージ器。
【発明の詳細な説明】
【技術分野】
【０００１】
本発明は顔用マッサージ器に関する。
【背景技術】
【０００２】
従来、左右の眼に当接するパッドを備えた振動体を、モータ駆動により左右方向に限定して振動させることにより、眼が疲れたときに行うような指で眼をこする作用を生じさせる眼のマッサージ器が知られている（例えば、特許文献１参照）。
【先行技術文献】
【特許文献】
【０００３】
【特許文献１】特開平７−２３６６７７号公報
【発明の概要】
【発明が解決しようとする課題】
【０００４】
しかし、上記特許文献１に記載のマッサージ器にあっては、パッドの振動方向（動作方向）は、左右方向に限定しているため、パッドの動作が単調であり、顔のマッサージとして満足できるものではないという問題がある。そこで本発明は、顔に対して良好なマッサージを行うことのできる顔用マッサージ器を提供することを目的とする。
【課題を解決するための手段】
【０００５】
本発明は、ベースと、使用者の顔をマッサージする施療子を有するマッサージ部材と、前記マッサージ部材を駆動する駆動部と、を有し、前記マッサージ部材は、左右成分及び上下成分を含む動作を行うことを特徴とする。
このような構成とすることにより、施療子の動作を、左右成分及び上下成分を含んだ円弧状の軌跡とすることができる。すなわち、施療子を顔の筋繊維に沿って動作させることができ、顔に対して良好なマッサージを行うことができる。
【０００６】
また、前記マッサージ部材は、前記施療子として使用者の眼の上部に当接する上施療子を有することが好ましい。
このような構成とすることにより、眼の周囲には、筋繊維が眼を取り囲む方向に筋肉が存在するため、眼の周囲に対して筋繊維に沿った良好なマッサージを行うことができる。
【０００７】
また、前記マッサージ部材は、前記施療子として使用者の眼の下部に当接する下施療子を有することが好ましい。
このような構成とすることにより、眼の周囲には、筋繊維が眼を取り囲む方向に筋肉が存在するため、眼の周囲に対して筋繊維に沿った良好なマッサージを行うことができる。
【０００８】
また、前記マッサージ部材は、前記施療子として使用者のこめかみに当接する横施療子を有することが好ましい。
このような構成とすることにより、上下方向の位置を変えながら指圧することができ、こめかみに対して良好なマッサージを行うことができる。
【０００９】
また、前記マッサージ部材は、前記施療子が取り付けられた第１アームを有し、前記第１アームは、前後方向を軸方向とする揺動軸周りに揺動することが好ましい。
このような構成とすることにより、第１アームの揺動により、施療子を左右成分及び上下成分を含む動作とすることができる。
【００１０】
また、前記施療子は、前後方向に可動であることが好ましい。
このような構成とすることにより、顔の大きさや形状に応じて、施療子の前後方向の位置を調整することができる。具体的には、上施療子又は下施療子にあっては、施療子を顔面にフィット（当接）させることができ、横施療子にあっては、施療子をこめかみへ位置合わせすることができる。
【００１１】
また、前記施療子は、左右方向に可動であることが好ましい。
このような構成とすることにより、顔の大きさや形状あるいは眼の位置に応じて、施療子の左右方向の位置を調整することができる。
【００１２】
また、前記施療子は、該施療子の移動方向に沿って回転するローラであることが好ましい。
このような構成とすることにより、被施療部に対する摩擦を低減することができ、刺激にデリケートな顔であっても良好なマッサージを行うことができる。この場合、眼の下部は顔の中でも刺激にデリケートな部分であるため、下施療子をローラとするのが効果的である。
【００１３】
また、前記マッサージ部材は、前記施療子としての振動部材を有することが好ましい。
このような構成とすることにより、顔の筋繊維に沿ったマッサージに加えて、振動マッサージも行うことができる。
【００１４】
また、着脱自在である吸水性を有するパッド部材と、前記パッド部材を過熱するヒータと、を有することが好ましい。
このような構成とすることにより、水を含ませたパッド部材を装着すれば、眼の周辺を冷却することができ爽快感を得ることができる。また、水を含ませたパッド部材をヒータで加熱すれば、眼の周辺を暖めることができリラックス感を得ることができる。また、ヒータによりパッド部材に含まれた水を蒸発させれば、眼の周辺に潤いを与えることができる。
【発明の効果】
【００１５】
本発明によれば、顔に対して良好なマッサージを行うことができる。
【図面の簡単な説明】
【００１６】
【図１】本発明の一実施形態に係る顔用マッサージ器を示す斜視図である。
【図２】ベース及び施療子を省略した顔用マッサージ器を示す斜視図である。
【図３】顔用マッサージ器を示す正面図である。
【図４】顔用マッサージ器を示す平面図である。
【図５】顔用マッサージ器を示す側面図である。
【図６】マッサージ部材の動作を示す説明図である。
【図７】施療子の動作を示す説明図である。
【図８】本発明の他の実施形態に係る顔用マッサージ器を示す平面図である。
【発明を実施するための形態】
【００１７】
［顔用マッサージ器の構成］
以下、本発明の一実施形態に係る顔用マッサージ器１の構成について説明する。
図１は、本発明の一実施形態に係る顔用マッサージ器１を示す斜視図である。図２は、ベース３及び施療子２１を省略した顔用マッサージ器１を示す斜視図である。図３は、顔用マッサージ器１を示す正面図である。図４は、顔用マッサージ器１を示す平面図である。図５は、顔用マッサージ器１を示す側面図である。図６はマッサージ部材２の動作を示す説明図である。図７は、施療子２１の動作を示す説明図である。なお、以下の説明で用いる方向の概念は、顔用マッサージ器１の使用状態において、顔面に対向する方向が「前」、顔面から離反する方向が「後」、頭側が「上」、首側が「下」、左手側が「左」、右手側が「右」とし、その他の場合は適宜説明するものとする。
【００１８】
図１〜図５に示すとおり、本発明の顔用マッサージ器１は、主として、使用者の顔をマッサージするマッサージ部材２と、マッサージ部材２を動作可能に支持するベース３と、マッサージ部材２を駆動する駆動部４と、駆動部４による駆動力をマッサージ部材２に伝達する動力伝達部５と、駆動部４の動作を制御する制御部６と、を有している。また、マッサージ部材２及び動力伝達部５は、伸縮性を有するカバー部材（図示せず）に被覆されており、安全性が確保されている。
【００１９】
ベース３は、マッサージ部材２を動作可能に支持する支持壁３ａと、支持壁３ａの上部及び下部からそれぞれ後方に延設された上壁３ｂ及び下壁３ｃと、を有して側面視で略コの字状に形成されており、内部に空洞を有している。ベース３は、左右方向に長く形成されており、その左右寸法は標準体型の成人の顔幅に略一致する程度に設定されている。
【００２０】
図２に示すとおり、ベース３の空洞内部には、マッサージ部材２を駆動する駆動部４としてのモータと、モータ４の回転を減速するウォームギヤ等よりなる減速器７と、減速器７を介してモータ４に連動連結された前後方向に延びる駆動軸８と、モータ４の回転速度又は回転方向を制御する制御部６と、が設けられている。そして、駆動軸８の前部には、モータ４の回転をマッサージ部材２のマッサージ動作に変換する変換部９が設けられている。これら減速器７、駆動軸８、及び変換部９により、駆動部４（モータ）の駆動力をマッサージ部材２に伝達する動力伝達部５が構成されている。なお、モータ４、減速器７、駆動軸８、及び制御部６は、ボックス１１にまとめて収容され、このボックス１１がベース３に支持されている。
【００２１】
マッサージ部材２は、左右で対をなしており、左右成分及び上下成分を含む動作が可能であるように支持壁３ａ（ベース３）に支持された第１アーム２０と、第１アーム２０に設けられ使用者の顔をマッサージする施療子２１と、を有している。本実施形態においては、施療子２１として、後述する使用者の眼の上部に当接する上施療子２２と、使用者の眼の下部に当接する下施療子２３と、使用者のこめかみに当接する横施療子２４と、顔を振動させる振動部材２５と、を有している。なお、各施療子２２〜２５のうち少なくともいずれか１つを有していればよい。
【００２２】
図１〜図３に示すとおり、前述した変換部９は、駆動軸８を回転中心Ｃとして駆動軸８とともに回転する円盤状の回転部９ａと、回転中心Ｃに対して偏心した位置において、前後軸Ａ１を介して回転部９ａに枢支されたクランク部９ｂと、を有して、駆動軸８の回転をマッサージ部材２の揺動に変換する偏心カムである。
【００２３】
この対の第１アーム２０はそれぞれ、前後方向に板面を有する板状に構成され、顔の上下方向に延びる中心線Ｌから側部までの左右寸法を有している。そして、この第１アーム２０は、中心線Ｌ側において前後軸Ａ２を介してクランク部９ｂ（変換部９）に枢支され、この前後軸Ａ２より左右外側に所定距離を存して、前後方向の揺動軸Ａ３を介してベース３に枢支されている。図７に示すとおり、この前後軸Ａ２と揺動軸Ａ３の位置は、顔用マッサージ器１の使用状態において、それぞれ鼻と眼の位置に略一致するよう設定されている。また、対の第１アーム２０は、左右中央部において前後方向に一部オーバーラップしており、共通の前後軸Ａ２によってクランク部９ｂに枢支されている。
【００２４】
以下、各施療子２１の構成について詳述する。
図４に示すとおり、第１アーム２０の前面であって揺動軸Ａ３の上方には、使用者の眼の上部に当接する上施療子２２が設けられている。この上施療子２２は、前方に突出した軟質樹脂等よりなる突起部２２ａを有しており、この突起部２２ａが左右方向に沿って複数（本実施形態では３つ）設けられて構成されている。複数の突起部２２ａは、左右外側に向かうにつれて前方への突出量が大きくなるように構成されているため、顔の曲面にフィットするようになっている。
【００２５】
図３及び図４に示すとおり、第１アーム２０の前面であって揺動軸Ａ３の下方には、使用者の眼の下部に当接する下施療子２３が設けられている。この下施療子２３は、上下軸Ａ４周りに回転可能なローラ２６を有している。そして、ローラ２６は、前方に向かって突出した第２アーム２７に設けられている。第２アーム２７は、その基部が第１アーム２０の中心線Ｌ側に取り付けられ、その端部が左右外側に向かうにつれて前方へ突出するよう湾曲形成されているため、ローラ２６を顔に軽く押し付けるだけで、第２アーム２７の復元力によりローラ２６を顔にフィットさせることができる。
【００２６】
図３及び図４に示すとおり、第１アーム２０の左右外側には、使用者のこめかみに当接する横施療子２４が設けられている。この横施療子２４は、上施療子２２の突起部２２ａに比べて硬質の樹脂等よりなり、上下方向に沿って複数（本実施形態では２つ）の当接部２４ａを有している。そして、横施療子２４は、第１アーム２０の左右外側から前方に向かって突出した第３アーム２８の前部に設けられている。この第３アーム２８は、左右方向に板面を有する板状に構成されており、左右方向に弾性変形可能である。また、第３アーム２８には、横施療子２４を介してこめかみに振動マッサージを行う振動部材２５が設けられている。
【００２７】
図４に示すとおり、第３アーム２８は、第１アーム２０の前面に当接させた状態で、ネジ等よりなる固定部材２９によって前後方向から第１アーム２０に固定されている。そして、第３アーム２８は、その基部（第１アームへの取付部）が、第１アームに対する若干の前後移動が許容されているとともに、バネ等よりなる付勢手段３０により前方へ付勢されているため、対の横施療子２４が互いに近接方向（矢視ａの方向）に付勢されることとなる。従って、横施療子２４を顔の大きさ（幅）に応じて位置合わせできるとともに、こめかみへ適度な圧力を与えることができる。また、対の横施療子２４は、左右方向（矢視ｂの方向）にスライド可能として互いの間隔を調整できるようになっており、このスライドによっても顔の大きさ（幅）に対応させることができる。なお、第３アーム２８自体の弾性変形によっても、対の横施療子２４の間隔調整に寄与することができる。
【００２８】
このように顔の異なる箇所をマッサージする複数の施療子２１（上施療子２２、下施療子２３、横施療子２４、及び振動部材２５）が、駆動部４に連動連結された第１アーム２０に設けられ、また、対をなす第１アーム２０が共通の前後軸Ａ２によって変換部９に連結されているため、単一の駆動部４で顔の左右両側の複数箇所を同時にマッサージできる。従って、簡単な構造で高いマッサージ効果を得ることができる。
【００２９】
また、図２に示すとおり、本発明の顔用マッサージ器１は、着脱自在である吸水性を有するパッド部材３１と、パッド部材３１を加熱するヒータ３２と、を有している。このパッド部材３１は、ポリマー等の素材を繊維状に形成したものであり、マッサージ部材２である第１アーム２０の前面において、前述したカバー部材（図示せず）に設けられた面ファスナ等よりなる着脱手段３３により着脱自在である。従って、水を含ませたパッド部材３１をマッサージ部材２に装着すれば、眼の周辺を冷却することができ爽快感を得ることができる。第１アーム２０の後面には、面状に形成されたヒータ３２が設けられており、マッサージ部材２を介して顔を暖めることができる。また、水を含ませたパッド部材３１をマッサージ部材２に装着した状態でヒータ３２を駆動させれば、眼の周辺を暖めることができリラックス感を得ることができる。また、ヒータ３２によりパッド部材３１に含まれた水を蒸発させれば、眼の周辺に潤いを与えることができる。
【００３０】
制御部６は、ＣＰＵ、メモリ（ＲＡＭ）、及び記憶装置（ＲＯＭ）を有するプログラマブルなマイコンよりなり、モータ４、振動部材２５、及びヒータ３２の動作制御等のための制御処理を行う。そして、この記憶装置には、所定の手順でマッサージ部材２が動作するマッサージコースが複数種類記憶されている。マッサージコースとしては、例えば、マッサージ部材２の動作速度（モータ４の回転速度）が、時間の経過に応じて遅くなるようプログラムされたリラックスコースと、マッサージ部材２の動作速度（モータ４の回転速度）が、時間の経過に応じて速くなるようプログラムされたリフレッシュコースと、が記憶されている。
【００３１】
図１に示すとおり、ベース３には、顔用マッサージ器１の操作を行うための操作部１０が設けられており、操作部１０と制御部６は電気的に接続されている。そして、この操作部１０を操作することにより、主電源のＯＮ／ＯＦＦ切り替え、ヒータ３２のＯＮ／ＯＦＦを切り替え、又は所望するマッサージコースの選択等を行うことができる。
【００３２】
［マッサージ部材の動作］
以下、マッサージ部材２の動作について詳述する。
本発明の顔用マッサージ器１を使用する際は、例えば、ベース３を把持してマッサージ部材２を顔に当接させる。そして、操作部１０により所望するマッサージコースを選択してモータ４を駆動させると、駆動軸８の回転に伴ってクランク部９ｂが駆動軸８の周りを回転する。そうすると、図６及び図７に示すとおり、第１アーム２０は揺動軸Ａ３によりベース３に枢支されているため、クランク部９ｂに取り付けられた前後軸Ａ２は左右方向への移動が規制されて上下方向へ往復移動することとなる。従って、対の第１アーム２０は、それぞれ対応する揺動軸Ａ３を中心として、実線と二点鎖線で示す間において上下に往復揺動する。すなわち、マッサージ部材２は、左右成分及び上下成分を含む動作を行う。各施療子２２〜２４に着目すれば、図６及び図７に示すとおり、各施療子２２〜２４はそれぞれ矢視ｃ〜ｅの方向に動作する。
【００３３】
眼の周囲には、筋繊維が眼を取り囲む方向に筋肉（眼輪筋）が存在している。そして、本発明の顔用マッサージ器１は、揺動軸Ａ３の位置が使用者の眼に略一致するように設定されているため、上施療子２２が眼の上部において上に凸の円弧を描くように動作し、下施療子２３が眼の下部において下に凸の円弧を描くように動作して、眼の周囲に対して筋繊維に沿った良好なマッサージを行うことができる。更に、顔の中でも刺激にデリケートな眼の下部に対しては、マッサージ部材２の移動方向に沿ってローラ２６が回転するため、摩擦を低減することができる。また、横施療子２４が左右外側に凸の円弧を描くように動作して、上下方向の位置を変えながらこめかみを指圧する。
【００３４】
［他の実施形態に係る顔用マッサージ器の構成］
以下、本発明の他の実施形態に係る顔用マッサージ器１００の構成について説明する。図８は、本発明の他の実施形態に係る顔用マッサージ器１００を示す平面図である。なお、前述した顔用マッサージ器１と同一の構成については、同一符号を付して説明を省略する。
本実施形態では、施療子４１を前後方向に可動としている。上施療子４２を例示して詳述すると、図８に示すとおり、上施療子４２は上下軸Ａ５を介して第１アーム２０に支持されている。そして、上施療子４２を前方へ付勢するバネ等よりなる付勢手段４３が設けられている。この付勢手段４３は、ベース３と上施療子４２の間に介在している。このように上施療子４２が前方へ付勢されて上下軸Ａ５を支点として揺動するため、顔の曲面に合わせて上施療子４２をフィットさせることができる。この場合、上施療子４２の左右外側を付勢することが好ましく、上施療子４２を顔によりフィットさせることができる。
【００３５】
また、本発明の顔用マッサージ器１は、図示する形態に限らず、この発明の範囲内において他の形態のものであっても良い。例えば、ベース３に設けたバンド等よりなる拘束部材により、顔用マッサージ器１を顔に固定してもよい。また、上施療子２２、下施療子２３、又は横施療子２４のうち少なくともいずれかを、前述した第１アーム２０とは独立したアームに設け、他の施療子とは異なる駆動部によって独立して駆動制御できるようにしてもよい。このような構成することにより、マッサージ部材２の動作バリエーションは豊富となる。また、各施療子２１は着脱可能としてもよい。このような構成とすることにより、施療子２１の個数を変更したり、形状の異なる施療子に変更したりすることができる。
【産業上の利用可能性】
【００３６】
本発明は、顔に対して良好なマッサージを行うことのできる顔用マッサージ器に適用することができる。
【符号の説明】
【００３７】
１  顔用マッサージ器
２  マッサージ部材
３  ベース
４  駆動部（モータ）
２０  第１アーム
２１  施療子
２２  上施療子
２３  下施療子
２４  横施療子
２５  振動部材
２６  ローラ
３１  パッド部材
３２  ヒータ
４１  施療子
４２  上施療子
Ａ３  揺動軸
【図１】
2014226499.tif 000003
【図２】
2014226499.tif 000004
【図３】
2014226499.tif 000005
【図４】
2014226499.tif 000006
【図５】
2014226499.tif 000007
【図６】
2014226499.tif 000008
【図７】
2014226499.tif 000009
【図８】
2014226499.tif 000010